(57)【特許請求の範囲】
【請求項１】
ケース内に設けた磁石と磁心とから構成される磁気回路の空隙中に、コイルを巻回したコイルホルダを設け、該コイルに通電することで発生する電磁力によってコイルホルダを介して弁体を駆動する比例制御弁において、ケースに設けた入力端子とコイルホルダに設けたコイルに電気的に接続した接続端子とを、可撓性を有する１枚の絶縁フィルムに形成した２本の導線であって、各導線の両端に電極を有するものを介して相互に接続し、各電極と入力端子及び接続端子とを係合すると、絶縁フィルムがケースに対して位置決めされ、更にその位置決めされた絶縁フィルムに対してコイルホルダが位置決めされることにより、コイルホルダがケースに対して位置決めされることを特徴とする比例制御弁。
【請求項２】
前記導線を、その両端に設けた電極を残して絶縁フィルムで被覆したことを特徴とする請求項１記載の比例制御弁。
【発明の詳細な説明】
【０００１】
【発明の属する技術分野】
本発明は、給湯器等のガスバーナーへの燃料ガスの供給量を調節する比例制御弁に関する。
【０００２】
【従来の技術】
この種の比例制御弁は、ケース内に設けた永久磁石と磁心とから構成される磁気回路の空隙中に、コイルを巻回したコイルホルダを設けている。
【０００３】
そして、該コイルに通電することで発生する電磁力によって中空のコイルホルダを、磁心の突出した突出部の外周面に沿って移動させ、該コイルホルダに連結した弁体を駆動してバルブケーシングに設けた弁孔を開放する。そして、電流を増減すると比例的に変化する電磁力を制御することで開放された弁孔の開度を変更してガス流量が調節される。
【０００４】
【発明が解決しようとする課題】
このような従来のものでは、ケースに設けた入力端子に導線を半田付けするので、半田付けのぱらつき等によって導線の張力が変化する場合があった。特に、導線を半田付けする際に該導線に半田が流れ込むと導線の張力が変化する。
【０００５】
コイルホルダが磁心の突出部の外周面に沿って移動するものでは、例えば２本の導線の張力が変化してコイルホルダが磁心に対して傾くと、コイルホルダの内面が磁心に接触し、両者間で摩擦力が急激に増加して精度よくガス流量を制御できない。
【０００６】
このため、２本の導線の張力をほぼ一定にしてコイルホルダが磁心に対して傾かないように半田付けする必要があり、その作業が煩雑であり、導線に半田が流れ込むとその導線を交換し半田付け作業をやり直さなければならないという問題があった。
【０００７】
また、上記のものでは、コイルホルダを固定する際に磁心に接触せず、かつ磁心に対して傾かないように位置決めするには、専用の治具が必要になり、その組付け作業の工数が多くなるという問題があった。
【０００８】
そこで、本発明は、上記問題点に鑑み、専用の治具を必要とせずコイルホルダを位置決めでき、その組付作業及びリード線の半田付け作業が容易な比例制御弁を提供するものである。
【０００９】
【課題を解決するための手段】
上記課題を解決するため、本発明の比例制御弁は、ケース内に設けた磁石と磁心とから構成される磁気回路の空隙中に、コイルを巻回したコイルホルダを設け、該コイルに通電することで発生する電磁力によってコイルホルダを介して弁体を駆動する比例制御弁において、ケースに設けた入力端子とコイルホルダに設けたコイルに電気的に接続した接続端子とを、可撓性を有する１枚の絶縁フィルムに形成した２本の導線であって、各導線の両端に電極を有するものを介して相互に接続し、各電極と入力端子及び接続端子とを係合すると、絶縁フィルムがケースに対して位置決めされ、更にその位置決めされた絶縁フィルムに対してコイルホルダが位置決めされることにより、コイルホルダがケースに対して位置決めされることを特徴とする。
【００１０】
本発明によれば、コイルに通電すると、発生する電磁力によってコイルホルダが移動し、該コイルホルダに連結された弁体がコイルホルダと共に移動する。コイルホルダの移動方向を弁体の開弁方向に一致させておけば、弁体がバルブケーシングに設けた弁座から離れ、燃料ガスが流れる。
【００１１】
コイルに流す電流を変化させると、フレミングの法則からコイルが磁界から受ける電磁力が比例的に変化する。この比例的に変化する電磁力を制御することで該弁孔の開度を調節して流量が調節される。
【００１２】
この場合、各電極と入力端子及び接続端子とを係合することでコイルホルダが位置決めされているので、磁心または永久磁石に対して傾くことが防止され、精度よくガス流量制御ができる。
【００１３】
尚、前記導線を、その両端に設けた電極を残して絶縁フィルムで被覆しておけば、導線の半田付けの際、該導線に半田が流れる込むことが防止でき、その作業が容易になる。
【００１５】
【発明の実施の形態】
図１及び図２を参照して、１は、例えば、給湯器においてガスバーナーへの燃料ガスの供給量を制御するのに使用する本発明の比例制御弁である。該比例制御弁１は円筒形状のバルブケーシング１１を有する。
【００１６】
バルブケーシング１１の内部は、弁孔１２ａを設けた仕切板１２によって一次室１３と二次室１４とに仕切られている。バルブケーシング１１の側面には、一次室１３に連通するガス流入口１５と、二次室１４に連通するガス流出口１６とがそれぞれ開設されている。
【００１７】
弁孔１２ａには弁体２が着座しており、弁体２の弁杆２１はバルブケーシング１１の上方に向かって延出している。また、弁体２は、弁体２と二次室１４の底面との間に縮設したばね２２によってバルブケーシング１１の上方に向かって付勢されている。
【００１８】
一次室１３には、その中央部を弁杆２１が貫通したダイヤフラム３が設けられ、該ダイヤフラム３によってガス流入口１５が臨む空間が密閉されている。また、バルブケーシング１１の開口した上面には、弁杆２１の一端に連結され、ばね２２の付勢力に抗して弁体２を下方に移動させる駆動部４が設けられている。
【００１９】
駆動部４は、外部電源との接続を可能とする２本の入力端子４１ａを備えたケース４１を有し、ケース内４１には磁心４２が設けられ、該磁心４２の下方に向かって突出した中央部４２ａの周囲には環状の永久磁石４３が配設されている。この場合、磁心４２と永久磁石４３と磁気回路を構成し、該磁気回路の空隙中にはコイル４４ａを巻回したコイルホルダ４４が設けられている。
【００２０】
コイル４４ａの両端は、コイルホルダ４４の下面に設けた２本の接続端子４５に電気的に接続されている。また、コイルホルダ４４の下部は断面Ｔ字形に形成され、下方に向かって突出した突出部４４ｂが弁杆２１の一端に連結されている。
【００２１】
そして、コイル４４ａに通電すると、その電磁力によってコイルホルダ４４が下方に向かって移動し、突出部４４ｂに連結した弁体２がコイルホルダ４４と共に移動して弁孔１２ａが開放される。この場合、一次室１３と二次室１４とが連通する。
【００２２】
弁孔１２ａを開放した後、コイル４４ａへの電流を増減すると、フレミングの法則により比例的に変化し、その電磁力を制御して弁体２に対する弁孔１２ａの開度を変更してガス流量が調節される。
【００２３】
ここで、コイルホルダ４４が磁心４２の突出部４２ａの外周面に沿って移動するものでは、コイルホルダ４４が磁心４２の突出部４２ａまたは永久磁石４３に対して傾くと、コイルホルダ４４の内面と磁心４２との間で摩擦力が急激に増加し、精度よくガス流量制御できない。
【００２４】
この場合、コイルホルダ４４を磁心４２の突出部４２ａと永久磁石４３との間に保持させる特別な治具を使用して組付け作業を行うこともできるが、その作業が面倒になる。
【００２５】
また、ケース４１に設けた入力端子４１ａとコイルホルダ４４の接続端子４５とを導線によって電気的に接続する必要があるが、半田付けのぱらつき等によって導線の張力が変化すると、コイルホルダ４４が磁心４２の突出部４２ａまたは永久磁石４３に対して傾く場合がある。特に、導線を半田付けする際に該導線に半田が流れ込むと導線の張力が変化する。
【００２６】
この場合、導線の張力をほぼ一定にしてコイルホルダ４４が磁心４２の突出部４２ａまたは磁石４３に対して傾かないように半田付けするのでは、その作業が面倒であり、また、導線に半田が流れ込むと導線の交換等の手直し作業が必要になる。
【００２７】
本実施の形態では、可撓性を有する絶縁フィルム５に形成した導線６ａ、６ｂであって両端に電極６１を有するものを介して、ケース４１に設けた入力端子４１ａとコイルホルダ４４に設けた接続端子４５とを相互に接続した。
【００２８】
図３を参照して、絶縁フィルム５は、例えばエポキシ樹脂製でハート形に成型されている。絶縁フィルム５には、その外形に沿って２本の導線６ａ、６ｂがそれぞれ埋設されている。各導線６ａ、６ｂの両端部には、入力端子４１ａ及び接続端子４５がそれぞれ貫通可能な孔から構成される電極６１が、絶縁フィルム５から露出させて形成されている。
【００２９】
また、絶縁フィルム５の中央部にはランド部５１が設けられ、該ランド部５１には、コイルホルダ４４下部の突出部４４ｂが挿入される中央開口５１ａが設けられている。
【００３０】
そして、各電極６１と入力端子４１ａ及び接続端子４５とを係合させると、突出部４４ｂが中央開口５１ａに挿入されたコイルホルダ４４が、磁心４２の突出部４２ａと磁石４３との間に突出部４２ａと磁石４３とに対して傾くことなく位置決めされるようにした。
【００３１】
これにより、組付時にコイルホルダ４４を位置決めるするのに治具は必要でない。また、電極６１に端子を半田付けする際に、導線６ａ、６ｂは絶縁フィルム５で被覆されているので、半田が流れこむことはないので、手直しする必要はなく、また、導線６ａ、６ｂの張力が変化することもないので、組付け作業がさらに簡素化される。
【００３２】
【発明の効果】
以上説明したように、本発明の比例制御弁は、特別な治具を必要とせずコイルホルダを位置決めでき、その組付作業及びリード線の半田付け作業が容易になるという効果を奏する。
【図面の簡単な説明】
【図１】本発明の比例制御弁を説明する断面図
【図２】入力端子とコイルホルダの接続端子との接続を説明する図
【図３】導線が埋設された絶縁フィルムの上面図
【符号の説明】
１  比例制御弁
１２ａ  弁孔
２  弁体
４２  磁心
４３  磁石
４４  コイルホルダ
４１ａ、４５  端子
５  絶縁フィルム
６  導線
【図１】
0004017426.tif 000002
【図２】
0004017426.tif 000003
【図３】
0004017426.tif 000004